(57)【要約】【課題】  床板滑り止め技術結合製作造型トーテムの滑り止め床面材を提供する。【解決手段】高科技化学処方による滑り止め剤をタイルや石材表面に塗布し、石材の毛穴を利用して数千のミクロン穴を形成し、また、真空吸盤原理を応用して、床が濡れている場合やタイルが外力を受ける場合、吸力を増加し、床板の摩擦係数を安全標準まで向上して、タイルの滑り止め効果が得られ、また、造型トーテムを完全にタイル上に表現でき、安全滑り止めを有しながら、視覚美観芸術を表現できる滑り止め床面材である。【選択図】図２
0003137735.tif 000002
【実用新案登録請求の範囲】
【請求項１】
滑り止め剤をタイル石材表面に塗布することによる滑り止めタイルであって、石材の毛穴を利用して、若干のミクロンである穴を形成し、真空吸盤原理を応用して、滑り止め効果を実現し、タイル石材に直接にトーテム造型が彫刻され、或いはトーテム設計をタイル上に張り付くことを特徴とする、床板滑り止め技術を結合する造型トーテムの滑り止め床面材。
【請求項２】
造型トーテムにおいて、タイル石材が病変になることを防止するため、ナノ石材防護剤を塗布する前、タイル石材を噴き焼いて、噴き焼く余熱により、ナノ防護剤を石材内に浸透し、間を置いて、蝋引き器で均一に研磨して清潔し、これらの加工処理により、タイル石材に抗汚染や抗菌、抗垢、抗黴菌、撥水及び撥油等の機能が付与されることを特徴とする、請求項１に記載の床板滑り止め技術を結合する造型トーテムの滑り止め床面材。
【請求項３】
タイル造型トーテム設計が、壁面や芸術造型の立体トーテム上に適用できることを特徴とする、請求項１に記載の床板滑り止め技術を結合する造型トーテムの滑り止め床面材。
【考案の詳細な説明】
【技術分野】
【０００１】
本考案は、高科技である、滑り止め剤をタイル表面に塗布する滑り止め床面材であって、タイルや石材に良い滑り止め機能を付与するものに関する。
【背景技術】
【０００２】
一般の市販の滑り止めタイルや滑り止め煉瓦は、濡れている場合、滑り止め機能が失い、また、垢が付き易くて汚くなる。
【考案の開示】
【考案が解決しようとする課題】
【０００３】
本考案の主な目的は、高科技化学処方による滑り止め剤をタイルや石材表面に塗布し、石材の毛穴を利用して、数千のミクロン穴を形成し、また、真空吸盤原理を応用して、床が濡れている場合やタイルが外力を受ける場合、吸力を増加し、タイル石材の滑り止め効果を実現し、例えば、床面材造型トーテムの多様化設計をタイル上に応用しても、滑り止め機能が実現され、その技術によれば、現場でタイルの滑り止め処理を行う時、同時に造型トーテムをタイルや石材面上に烙印することにより、いつでもトーテムを変換できる滑り止め床面材を提供する。
【課題を解決するための手段】
【０００４】
請求項１の考案は、滑り止め剤をタイル石材表面に塗布することによる滑り止めタイルであって、石材の毛穴を利用して、若干のミクロンである穴を形成し、真空吸盤原理を応用して、滑り止め効果を実現し、タイル石材に直接にトーテム造型が彫刻され、或いはトーテム設計をタイル上に張り付くことを特徴とする、床板滑り止め技術を結合する造型トーテムの滑り止め床面材である。
【０００５】
請求項２の考案は、造型トーテムにおいて、タイル石材が病変になることを防止するため、ナノ石材防護剤を塗布する前、タイル石材を噴き焼いて、噴き焼く余熱によりナノ防護剤を石材内に浸透し、間を置いて、蝋引き器で均一に研磨して清潔し、これらの加工処理により、タイル石材に抗汚染や抗菌、抗垢、抗黴菌、撥水及び撥油等の機能が付与されることを特徴とする、請求項１に記載の床板滑り止め技術を結合する造型トーテムの滑り止め床面材である。
【０００６】
請求項３の考案は、タイル造型トーテム設計が、壁面や芸術造型の立体トーテム上に適用できることを特徴とする、請求項１に記載の床板滑り止め技術を結合する造型トーテムの滑り止め床面材である。
【考案を実施するための最良の形態】
【０００７】
図１を参照しながら、本考案は、高科技化学処方である滑り止め剤１００を、タイル（や石材）２００の表面に塗布することにより、新規の滑り止めタイルが構成され、該滑り止めタイルは、主として、真空吸盤水拡張原理を利用して、濡れている場合でも、滑り止め機能が発揮でき、高温パージでも、シャワー（シャンプー等）を利用しても効果が維持される。
【０００８】
図２を参照しながら、本考案は、高科技化学処方である滑り止め剤１００をタイル（や石材）２００の表面に塗布して、石材の毛穴を利用して、数千のミクロン穴３００を形成し、また、真空吸盤原理を応用して、タイル石材の滑り止め機能が実現される。
【０００９】
本考案は、タイルに滑り止め機能を付与するだけでなく、造型トーテムを完全に滑り止めタイルの上に展示でき、タイル上を歩く時、安全的な滑り止めが得られ、視覚的に美観的な芸術である床板空間が実現される。
【００１０】
図３を参照しながら、本考案は次の成型ステップが備えられる。
【００１１】
Ａ、造型トーテムを作製すること１０であり、タイルに格別のトーテム造型を表現するため、タイル上に直接に彫刻する他、トーテム設計をタイル上に張り付くことにより実現でき、また、タイル上に張り付く技術は、反面張りと正面貼りがあり、正面貼り（正貼り）の場合、トーテムの貼り面が滑り止め機能を発揮し、反面張り（負貼り）の場合、トーテムの貼り面以外が滑り止め機能を発揮する。
【００１２】
Ｂ、トーテムをタイル上に張り付くこと２０であり、計算機図形処理による設計図をタイルに張り付くことにより、図柄により、元のトーテム設計が表現され、また、直接にタイルの表面に複写されると、タイルに融合することができる。
【００１３】
Ｃ、トーテムがタイルに融合されるか３０であり、造型トーテムは格別のＰＵゼラチン質材からなり、熱風でトーテム上のゼラチン質材がタイルに密着し、トーテムがタイルに融合できなければ、前のステップへ戻って張り付きをやり直す。
【００１４】
Ｄ、滑り止め技術５０と造型トーテムとの結合テスト４０であり、異なるタイル材によれば滑り止め剤の量が異なるため、テストにより結合の状態を検知する。
【００１５】
Ｅ、滑り止め機能が安定や耐久及び美観であるか６０であり、滑り止め機能の安定性が悪い時やタイルの造型トーテムが脱落している時及び色が美観ではない時、前のステップへ戻る。
【００１６】
Ｆ、タイルの造型トーテムの設計技術研究開発７０であり、造型トーテムが滑り止め技術と完全に結合され、最も良い状態になり、滑り止め機能と耐用度及び美観と芸術化を追求する。
【００１７】
上記のタイルの造型トーテムは、タイル石材が病変になることを防止するため、ナノ石材防護剤を塗布する前、ガスバーナーにより、３０℃〜４０℃の温度でタイル石材を噴き焼き、また、噴き焼きの余熱を利用して、ナノ石材防護剤をタイル石材内に浸透し、そして、そのまま１５〜２０分に置いて、蝋引き器を利用して、特製のドライ式綿布で均一的に研磨と清潔し、この加工処理により、タイルや石材にも抗汚染や抗菌、抗垢、抗黴菌、撥水及び撥油等の機能を付与できる。
【００１８】
本考案は、タイル石材に適用だけでなく、壁面や芸術造型の立体トーテムに適用されると、美観効果が増加され室内設計に有利である。
【図面の簡単な説明】
【００１９】
【図１】本考案の平面概念図
【図２】本考案の実施例の平面図
【図３】本考案のより良い実施例の流れブロック図
【符号の説明】
【００２０】
１０        造型トーテムを製作する
１００      滑り止め剤
２０        トーテムをタイルに貼り付く
２００      タイル（或いは石材）
３０        トーテムが、タイルに融合したか
３００      穴
４０        滑り止め技術を造型トーテムに結合するテスト
５０        滑り止め技術
６０        滑り止め機能が安定、耐久及び美観であるか
７０        タイル造型トーテムの設計技術を研究開発完成
【図１】
0003137735.tif 000003
【図２】
0003137735.tif 000004
【図３】
0003137735.tif 000005